(57)【要約】【課題】装置構成を複雑にすることなく、かつ、複数種類の薬剤を薬剤それぞれの浸透性能を低下させることなく投与する。【解決手段】電極３ａ上に、互いに異なる種類の薬剤が添加された薬剤添加ゲル４ａ，４ｂが塗布されることにより、電極３ａが、電極３ａ上に互いに異なる種類の薬剤を保持する薬剤保持部５ａ，５ｂを有する。【選択図】図１
2011087856.tif 000002
【特許請求の範囲】
【請求項１】
電極上に薬剤が付与され、前記薬剤が人体に当接するように装着された状態で前記電極に電位が印加されることによって前記薬剤を人体に投与するイオントフォレシスデバイスであって、
前記電極は、前記薬剤を保持する複数の薬剤保持部を有し、
前記複数の薬剤保持部のうち少なくとも２つは、種類が互いに異なる薬剤を保持するイオントフォレシスデバイス。
【請求項２】
請求項１に記載のイオントフォレシスデバイスにおいて、
前記電極は、
正極にイオン化した薬剤を保持する第１の薬剤保持部と、
負極にイオン化した薬剤を保持する第２の薬剤保持部とを有し、
前記電極には、交流電位が印加されるイオントフォレシスデバイス。
【発明の詳細な説明】
【技術分野】
【０００１】
本発明は、電極上に薬剤を付与し、電極に電位を印加することによって薬剤を経皮的に人体に投与するイオントフォレシスデバイスに関する。
【背景技術】
【０００２】
近年、皮膚に微弱な電流を流すことにより薬剤を経皮的に人体に投与するイオントフォレシス技術が実用化されている。このイオントフォレシス技術では、皮膚に微弱な電流を流すために、その表面に薬剤が付与された電極を有するイオントフォレシスデバイスが用いられている。
【０００３】
イオントフォレシスデバイスを用いて薬剤を人体に投与する場合は、薬剤が付与された電極を人体に装着した状態で電極に電位を印加する。すると、人体に電流が流れ、この電流とともに薬剤が経皮的に人体に投与されることになる。このようなイオントフォレシスデバイスにおいては、一般的に１つの電極上に一種類の薬剤が付与されており、利用者は、所望の薬剤が付与されたイオントフォレシスデバイスを選択して利用することとなる（例えば、特許文献１参照。）。
【先行技術文献】
【特許文献】
【０００４】
【特許文献１】特開２００６−３３４２９２号公報
【発明の概要】
【発明が解決しようとする課題】
【０００５】
上述したように一般的なイオントフォレシスデバイスにおいては、１つの電極上に一種類の薬剤が付与されている構成であるため、単一の効果しか得ることができず、また、１つの治療を行うために複数種類の薬剤を人体に投与する必要がある場合でもそれを１つのイオントフォレシスデバイスを用いて行うことができない。
【０００６】
そこで、所望の薬剤の種類の数だけ電極を用いることが考えられる。ところが、その場合、装置構成が複雑となって複数の電極を作製するための手間がかかってしまうとともに、人体に複数種類の薬剤を投与することが困難であるという問題点がある。
【０００７】
また、複数種類の薬剤を混合し、混合した薬剤を１つの電極上に付与することにより、複数の効果を得る構成とすることが考えられる。ところが、複数の薬剤を混合した状態で１つの電極上に付与すると、混合した複数の薬剤の環境により各薬剤の浸透性能が低下してしまう場合があり、人体への浸透が効率的に行われなくなってしまうという問題点がある。例えば、浸透性能が低下する条件としては、各薬剤の放出・浸透性能の差によるｐＨ・濃度の変化や、薬剤同士の相互作用による放出性能の低下等が挙げられる。また、薬剤の人体への浸透性能が複数種類の薬剤毎に互いに異なるため、薬剤の人体への浸透に伴って、混合した薬剤が保持されている領域におけるｐＨ等が変化し、皮膚への安全性が損なわれる虞れがある。
【０００８】
本発明は、上述したような従来の技術が有する問題点に鑑みてなされたものであって、装置構成を複雑にすることなく、かつ、複数種類の薬剤を薬剤それぞれの浸透性能を低下させることなく投与することができるイオントフォレシスデバイスを提供することを目的とする。
【課題を解決するための手段】
【０００９】
上記目的を達成するために本発明は、
電極上に薬剤が付与され、前記薬剤が人体に当接するように装着された状態で前記電極に電位が印加されることによって前記薬剤を人体に投与するイオントフォレシスデバイスであって、
前記電極は、前記薬剤を保持する複数の薬剤保持部を有し、
前記複数の薬剤保持部のうち少なくとも２つは、種類が互いに異なる薬剤を保持する。
【００１０】
上記のように構成された本発明においては、電極上に複数の薬剤保持部が設けられており、この複数の薬剤保持部のうち少なくとも２つにおいて、種類が互いに異なる薬剤が保持され、それにより、電極には複数種類の薬剤が互いに混合しない状態で付与されている。この状態で、薬剤が付与された面が人体に当接するように装着されて電極に電位が印加されると、複数の薬剤保持部にそれぞれ保持された薬剤が人体に投与されることになる。
【００１１】
このように、１つの電極上に複数の薬剤保持部が設けられており、この複数の薬剤保持部のうち少なくとも２つにおいて、種類が互いに異なる薬剤が保持されているので、装置構成を複雑にすることなく、かつ、複数種類の薬剤が投与され、その際、複数種類の薬剤が混合されていないため、薬剤保持部のそれぞれにおいてその薬剤保持部にて保持する薬剤にとって人体への浸透性能が良くなる最適なｐＨ条件を設定することができ、薬剤の人体への浸透性能が低下することがない。
【００１２】
また、電極が、正極にイオン化した薬剤を保持する第１の薬剤保持部と、負極にイオン化した薬剤を保持する第２の薬剤保持部とを有し、電極に交流電位が印加されれば、正極にイオン化した薬剤と負極にイオン化した薬剤とを１つの電極上に付与して人体に投与することができる。
【発明の効果】
【００１３】
以上説明したように本発明においては、電極が、薬剤を保持する複数の薬剤保持部を有し、複数の薬剤保持部のうち少なくとも２つが、種類が互いに異なる薬剤を保持する構成としたため、１つの電極上に、種類が互いに異なる薬剤が混合することなく付与されていることとなり、それにより、装置構成を複雑にすることなく、かつ、複数種類の薬剤を薬剤それぞれの浸透性能を低下させることなく投与することができる。
【００１４】
また、電極が、正極にイオン化した薬剤を保持する第１の薬剤保持部と、負極にイオン化した薬剤を保持する第２の薬剤保持部とを有し、電極に交流電位が印加されるものにおいては、正極にイオン化した薬剤と負極にイオン化した薬剤とを１つの電極上に付与して人体に投与することができる。
【図面の簡単な説明】
【００１５】
【図１】本発明のイオントフォレシスデバイスの第１の実施の形態を示す図であり、（ａ）は平面図、（ｂ）は（ａ）に示したＡ−Ａ’断面図、（ｃ）は回路構成図である。
【図２】図１に示したイオントフォレシスデバイスの使用方法及びその動作を説明するための図である。
【図３】本発明のイオントフォレシスデバイスの第２の実施の形態を示す図であり、（ａ）は平面図、（ｂ）は（ａ）に示したＡ−Ａ’断面図、（ｃ）は回路構成図である。
【図４】図３に示したイオントフォレシスデバイスの使用方法及びその動作を説明するための図であり、（ａ）は薬剤添加ゲルが塗布された電極にプラス電位が印加された状態を示す図、（ｂ）は薬剤添加ゲルが塗布された電極にマイナス電位が印加された状態を示す図である。
【図５】本発明のイオントフォレシスデバイスの第３の実施の形態を示す図であり、（ａ）は平面図、（ｂ）は（ａ）に示したＡ−Ａ’断面図、（ｃ）は回路構成図である。
【図６】図５に示したイオントフォレシスデバイスの使用方法及びその動作を説明するための図である。
【発明を実施するための形態】
【００１６】
以下に、本発明の実施の形態について図面を参照して説明する。
【００１７】
（第１の実施の形態）
図１は、本発明のイオントフォレシスデバイスの第１の実施の形態を示す図であり、（ａ）は平面図、（ｂ）は（ａ）に示したＡ−Ａ’断面図、（ｃ）は回路構成図である。
【００１８】
本形態は図１に示すように、不織布や紙等の非導電性材料からなるベース基材２上に、カーボンや銀等の導電性材料からなる２つの電極３ａ，３ｂが所定の間隔を介して形成され、その電極３ａ，３ｂに配線パターン７ａ，７ｂを介して接続されるように薄型の電池６が搭載されて構成されている。なお、電池６は、電極３ａ側が正極、電極３ｂ側が負極となるように配線パターン７ａ，７ｂに接続されている。また、電極３ａ上には、正極にイオン化した薬剤が添加された薬剤添加ゲル４ａと、正極にイオン化した薬剤が添加された薬剤添加ゲル４ｂとが塗布されており、これら薬剤添加ゲル４ａに添加された薬剤と、薬剤添加ゲル４ｂに添加された薬剤とは互いに異なる物質からなるものとなっている。そして、電極３ａの薬剤添加ゲル４ａが塗布された領域が薬剤保持部５ａとなり、薬剤添加ゲル４ｂが塗布された領域が薬剤保持部５ｂとなっている。すなわち、電極３ａには、正極にイオン化した薬剤を保持する複数の薬剤保持部５ａ，５ｂが設けられていることになる。また、電極３ｂ上には薬剤が添加されていないゲル８が塗布されている。なお、薬剤添加ゲル４ａ，４ｂは、それぞれ添加された薬剤にとって人体への浸透性能が良くなる最適なｐＨ条件に設定されている。なお、薬剤添加ゲル４ａ，４ｂとしては、例えば、ＰＶＡ、ポリアクリルアミド、ポリアクリル酸、ポリビニルピロリドン、天然多糖類の水溶性高分子等に、薬剤が添加されたものが考えられる。また、ベース基材２としては、上述した不織布や紙の他に、天然ゴムやポリウレタン、ポリエステル等の合成樹脂、あるいはシリコン樹脂からなるものであってもよく、また、電極３ａ，３ｂとしては、カーボンや銀の他に、白金や金、塩化銀、チタン、ニッケル、ステンレスからなるものであってもよい。また、薬剤保持部５ａ，５ｂを構成するものとしては、上述したような薬剤が添加された薬剤添加ゲル４ａ，４ｂの他に、薬剤が添加された不織布や織布、炭素繊維等の材料を使用することもできる。
【００１９】
以下に、上記のように構成されたイオントフォレシスデバイス１の使用方法及びその動作について説明する。
【００２０】
図２は、図１に示したイオントフォレシスデバイス１の使用方法及びその動作を説明するための図である。
【００２１】
図１に示したイオントフォレシスデバイス１を使用する場合は、図２に示すように、電極３ａ，３ｂが形成された面側を人体９に対向させ、電極３ａ上に塗布された薬剤添加ゲル４ａ，４ｂ及び電極３ｂ上に塗布されたゲル８を人体９に当接させ、これら薬剤添加ゲル４ａ，４ｂ及びゲル８によってイオントフォレシスデバイス１を人体９に貼着することにより、電極３ａ，３ｂを人体９に装着する。
【００２２】
すると、電池６が、電極３ａ側が正極、電極３ｂ側が負極となるように接続されていることにより、電池６によって電極３ａにプラス電位が印加されるとともに電極３ｂにマイナス電位が印加され、それにより、電極３ａから電極３ｂに人体９を介して電流が流れる。
【００２３】
その際、電極３ａに塗布された薬剤添加ゲル４ａ，４ｂにそれぞれ添加された薬剤１０ａ，１０ｂがそれぞれ正極にイオン化した薬剤であるため、これら薬剤１０ａ，１０ｂが、プラス電位が印加された電極３ａから反発し、人体９に流れる電流とともに経皮的に人体９に浸透し、投与されていく。
【００２４】
このように本形態においては、１つの電極３ａ上に、互いに異なる物質からなる薬剤１０ａ，１０ｂをそれぞれ保持する複数の薬剤保持部５ａ，５ｂが設けられているので、装置構成を複雑にすることなく、かつ、人体のうち電極３ａが対向する部位に互いに異なる物質からなる薬剤１０ａ，１０ｂが投与され、その際、これら薬剤１０ａ，１０ｂが互いに混合されていないため、薬剤１０ａ，１０ｂにとって人体９への浸透性能が良くなる最適な環境を設定することができ、薬剤１０ａ，１０ｂの人体９への浸透性能が低下することがない。
【００２５】
なお、薬剤添加ゲル４ａ，４ｂに添加される正極にイオン化した薬剤としては、官能基が、アンモニウム基、スルホニウム基及びホスホニウム基、並びにこれらの１つ以上の水素原子がアルキル基で置換された基を有する薬剤が考えられる。
【００２６】
（第２の実施の形態）
図３は、本発明のイオントフォレシスデバイスの第２の実施の形態を示す図であり、（ａ）は平面図、（ｂ）は（ａ）に示したＡ−Ａ’断面図、（ｃ）は回路構成図である。
【００２７】
本形態は図３に示すように、図１に示したものに対して、電極１０３ａ上における薬剤添加ゲル１０４ａ，１０４ｂの塗布形状が異なり、また、電極１０３ａ，１０３ｂに電位を印加するものとして配線１０６ａ，１０６ｂを介して交流電源１０６が接続される点が異なるものである。薬剤添加ゲル１０４ａ，１０４ｂの塗布形状は、薬剤添加ゲル１０４ａの面積が薬剤添加ゲル１０４ｂの面積よりも大きくなるように構成されている。また、電極１０３ａ上に塗布された薬剤添加ゲル１０４ａには正極にイオン化した薬剤が添加されており、薬剤添加ゲル１０４ｂには負極にイオン化した薬剤が添加されている。それにより、本形態における電極１０３ａには、正極にイオン化した薬剤を保持する第１の薬剤保持部１０５ａと、負極にイオン化した薬剤を保持する第２の薬剤保持部１０５ｂとが設けられていることになる。
【００２８】
以下に、上記のように構成されたイオントフォレシスデバイス１０１の使用方法及びその動作について説明する。
【００２９】
図４は、図３に示したイオントフォレシスデバイス１０１の使用方法及びその動作を説明するための図であり、（ａ）は薬剤添加ゲル１０４ａ，１０４ｂが塗布された電極１０３ａにプラス電位が印加された状態を示す図、（ｂ）は薬剤添加ゲル１０４ａ，１０４ｂが塗布された電極１０３ａにマイナス電位が印加された状態を示す図である。
【００３０】
図３に示したイオントフォレシスデバイス１０１を使用する場合は、図４に示すように、電極１０３ａ，１０３ｂが形成された面側を人体１０９に対向させ、電極１０３ａ上に塗布された薬剤添加ゲル１０４ａ，１０４ｂ及び電極１０３ｂ上に塗布されたゲル１０８を人体１０９に当接させ、これら薬剤添加ゲル１０４ａ，１０４ｂ及びゲル１０８によってイオントフォレシスデバイス１０１を人体１０９に貼着することにより、電極１０３ａ，１０３ｂを人体１０９に装着する。
【００３１】
この状態で、交流電源１０６によって電極１０３ａにプラス電位が印加されるとともに電極１０３ｂにマイナス電位が印加されると、電極１０３ａから電極１０３ｂに人体１０９を介して電流が流れる。
【００３２】
すると、電極１０３ａに塗布された薬剤添加ゲル１０４ａ，１０４ｂにそれぞれ添加された薬剤１１０ａ，１１０ｂのうち、薬剤添加ゲル１０４ａに添加された薬剤１１０ａが正極にイオン化した薬剤であるため、図４（ａ）に示すように、薬剤１１０ａが、プラス電位が印加された電極１０３ａから反発し、人体１０９に流れる電流とともに経皮的に人体１０９に浸透し、投与されていく。
【００３３】
また、交流電源１０６によって電極１０３ａにマイナス電位が印加されるとともに電極１０３ｂにプラス電位が印加されると、電極１０３ｂから電極１０３ａに人体１０９を介して電流が流れる。
【００３４】
すると、電極１０３ａに塗布された薬剤添加ゲル１０４ａ，１０４ｂにそれぞれ添加された薬剤１１０ａ，１１０ｂのうち、薬剤添加ゲル１０４ｂに添加された薬剤１１０ｂが負極にイオン化した薬剤であるため、図４（ｂ）に示すように、薬剤１１０ｂが、マイナス電位が印加された電極１０３ａから反発し、人体１０９に流れる電流とともに経皮的に人体１０９に浸透し、投与されていく。
【００３５】
このように本形態においては、電極１０３ａには、正極にイオン化した薬剤１１０ａを保持する薬剤保持部１０５ａと、負極にイオン化した薬剤１１０ｂを保持する薬剤保持部１０５ｂとが設けられており、配線１０６ａ，１０６ｂを介して電極１０３ａに接続された交流電源１０６によって電極１０３ａに交流電位が印加されるので、人体１０９に同時に投与したい薬剤が、正極にイオン化した薬剤１１０ａと負極にイオン化した薬剤１１０ｂであっても、これらを１つの電極１０３ａを用いて人体１０９に投与することができる。
【００３６】
なお、薬剤添加ゲル１０４ｂに添加される負極にイオン化した薬剤としては、官能基が、カルボキシル基、リン酸基、ポリリン酸基、水酸基、硫酸基、硝酸基及び炭酸基を有する薬剤が考えられる。
【００３７】
ここで、電極１０３ａ上に塗布された薬剤添加ゲル１０４ａと薬剤添加ゲル１０４ｂとの面積が互いに異なる理由について説明する。
【００３８】
薬剤添加ゲル１０４ａに添加された薬剤１１０ａと、薬剤添加ゲル１０４ｂに添加された薬剤１１０ｂとは、互いに異なる物質からなるものであることから、同一の電位が印加された場合に人体１０９への浸透のしやすさが互いに異なる。そこで、人体１０９に浸透しにくい薬剤１１０ａが添加された薬剤添加ゲル１０４ａの面積を大きくし、人体１０９に浸透しやすい薬剤１１０ｂが添加された薬剤添加ゲル１０４ｂの面積を小さくする。すると、人体１０９が当接する面積が、薬剤添加ゲル１０４ｂよりも薬剤添加ゲル１０４ａの方が大きくなり、それにより、薬剤添加ゲル１０４ａに添加された薬剤１１０ａが、薬剤添加ゲル１０４ａの面積が薬剤添加ゲル１０４ｂの面積と同一である場合に比べて人体１０９に多く浸透することになり、人体１０９への薬剤１１０ａ，１１０ｂの浸透量を等しくする等、薬剤１１０ａ，１１０ｂの人体１０９への相対的な投与量を調整することができる。
【００３９】
（第３の実施の形態）
図５は、本発明のイオントフォレシスデバイスの第３の実施の形態を示す図であり、（ａ）は平面図、（ｂ）は（ａ）に示したＡ−Ａ’断面図、（ｃ）は回路構成図である。
【００４０】
本形態は図５に示すように、図１に示したものに対して、電池２０６によってマイナス電位が印加される電極２０３ｂ上にも、負極にイオン化した薬剤が添加された薬剤添加ゲル２０４ｃと、負極にイオン化した薬剤が添加された薬剤添加ゲル２０４ｄとが塗布されており、電極２０３ｂの薬剤添加ゲル２０４ｃが塗布された領域が薬剤保持部２０５ｃとなり、薬剤添加ゲル２０４ｄが塗布された領域が薬剤保持部２０５ｄとなっている点が異なるものである。さらに本形態においては、電極２０３ａ上に塗布された薬剤添加ゲル２０４ａと薬剤添加ゲル２０４ｂとの厚さが互いに異なり、また、電極２０３ｂ上に塗布された薬剤添加ゲル２０４ｃと薬剤添加ゲル２０４ｄとの厚さが互いに異なっており、薬剤添加ゲル２０４ａが薬剤添加ゲル２０４ｂよりも厚く、また、薬剤添加ゲル２０４ｃが薬剤添加ゲル２０４ｄよりも厚くなっている。
【００４１】
以下に、上記のように構成されたイオントフォレシスデバイス２０１の使用方法及びその動作について説明する。
【００４２】
図６は、図５に示したイオントフォレシスデバイス２０１の使用方法及びその動作を説明するための図である。
【００４３】
図５に示したイオントフォレシスデバイス２０１を使用する場合は、図６に示すように、電極２０３ａ，２０３ｂが形成された面側を人体２０９に対向させ、電極２０３ａ，２０３ｂ上にそれぞれ塗布された薬剤添加ゲル２０４ａ〜２０４ｄを人体２０９に当接させ、これら薬剤添加ゲル２０４ａ〜２０４ｄによってイオントフォレシスデバイス２０１を人体２０９に貼着することにより、電極２０３ａ，２０３ｂを人体２０９に装着する。
【００４４】
すると、電池２０６が、電極２０３ａ側が正極、電極２０３ｂ側が負極となるように接続されていることにより、電池２０６によって電極２０３ａにプラス電位が印加されるとともに電極２０３ｂにマイナス電位が印加され、それにより、電極２０３ａから電極２０３ｂに人体２０９を介して電流が流れる。
【００４５】
その際、電極２０３ａに塗布された薬剤添加ゲル２０４ａ，２０４ｂにそれぞれ添加された薬剤２１０ａ，２１０ｂがそれぞれ正極にイオン化した薬剤であるため、これら薬剤２１０ａ，２１０ｂが、プラス電位が印加された電極２０３ａから反発し、人体２０９に流れる電流とともに経皮的に人体２０９に浸透し、投与されていく。
【００４６】
また、電極２０３ｂに塗布された薬剤添加ゲル２０４ｃ，２０４ｄにそれぞれ添加された薬剤２１０ｃ，２１０ｄがそれぞれ負極にイオン化した薬剤であるため、これら薬剤２１０ｃ，２１０ｄが、マイナス電位が印加された電極２０３ｂから反発し、人体２０９に流れる電流とともに経皮的に人体２０９に浸透し、投与されていく。
【００４７】
このように本形態においては、電池２０６によってプラス電位が印加される電極２０３ａ上に、互いに異なる物質からなる薬剤２１０ａ，２１０ｂをそれぞれ保持する複数の薬剤保持部２０５ａ，２０５ｂが設けられているとともに、電池２０６によってマイナス電位が印加される電極２０３ｂ上にも、互いに異なる物質からなる薬剤２１０ｃ，２１０ｄをそれぞれ保持する複数の薬剤保持部２０５ｃ，２０５ｄが設けられているので、電池２０６によって電位が印加される電極２０３ａ，２０３ｂの両方を用いて複数の物質からなる薬剤を投与することができながらも、さらに、電極２０３ａ，２０３ｂのそれぞれを用いて複数の物質からなる薬剤を投与することができる。
【００４８】
ここで、電極２０３ａ上に塗布された薬剤添加ゲル２０４ａと薬剤添加ゲル２０４ｂ、並びに電極２０３ｂ上に塗布された薬剤添加ゲル２０４ｃと薬剤添加ゲル２０４ｄとの厚さがそれぞれ互いに異なる理由について説明する。
【００４９】
薬剤添加ゲル２０４ａに添加された薬剤２１０ａと、薬剤添加ゲル２０４ｂに添加された薬剤２１０ｂとは、互いに異なる物質からなるものであることから、同一の電位が印加された場合に人体２０９への浸透のしやすさが互いに異なる。そこで、人体２０９に浸透しやすい薬剤２１０ａが添加された薬剤添加ゲル２０４ａの厚さを厚くし、人体２０９に浸透しにくい薬剤２１０ｂが添加された薬剤添加ゲル２０４ｂの厚さを薄くする。すると、薬剤添加ゲル２０４ａの方が薬剤添加ゲル２０４ｂよりも厚いことから、電極２０３ａにプラス電位が印加された場合に電気抵抗が大きくなって電流が流れにくくなり、それにより、薬剤添加ゲル２０４ａに添加された薬剤２１０ａが、薬剤添加ゲル２０４ａの厚さが薬剤添加ゲル２０４ｂの厚さと同一である場合に比べて人体２０９に浸透しにくくなり、人体２０９への薬剤２１０ａ，２１０ｂの浸透量を等しくする等、薬剤２１０ａ，２１０ｂの人体２０９への相対的な投与量を調整することができる。
【００５０】
同様に、薬剤添加ゲル２０４ｃに添加された薬剤２１０ｃと、薬剤添加ゲル２０４ｄに添加された薬剤２１０ｄとは、互いに異なる物質からなるものであることから、同一の電位が印加された場合に人体２０９への浸透のしやすさが互いに異なる。そこで、人体２０９に浸透しやすい薬剤２１０ｃが添加された薬剤添加ゲル２０４ｃの厚さを厚くし、人体２０９に浸透しにくい薬剤２１０ｄが添加された薬剤添加ゲル２０４ｄの厚さを薄くする。すると、薬剤添加ゲル２０４ｃの方が薬剤添加ゲル２０４ｄよりも厚いことから、電極２０３ｂにマイナス電位が印加された場合に電気抵抗が大きくなって電流が流れにくくなり、それにより、薬剤添加ゲル２０４ｃに添加された薬剤２１０ｃが、薬剤添加ゲル２０４ｃの厚さが薬剤添加ゲル２０４ｄの厚さと同一である場合に比べて人体２０９に浸透しにくくなり、人体２０９への薬剤２１０ｃ，２１０ｄの浸透量を等しくする等、薬剤２１０ｃ，２１０ｄの人体２０９への相対的な投与量を調整することができる。
【００５１】
なお、上述した第１及び第３の実施の形態においては、電極３ａ，３ｂ，２０３ａ，２０３ｂに電池６，２０６によって一定の電位を印加しているが、パルス発生器を用いて電極３ａ，３ｂ，２０３ａ，２０３ｂにパルス電位を印加することも考えられる。その場合、皮膚刺激や火傷の発生を抑制することができる。
【００５２】
また、上述した第２及び第３の実施の形態を組み合わせ、交流電位が印加される電極上に塗布された複数の薬剤添加ゲルの厚さを互いに異ならせる構成としたり、１つの電極上に塗布された薬剤添加ゲルの面積及び厚さを互いに異ならせる構成としてもよい。
【００５３】
また、上述した３つの実施の形態においては、１つの電極上に、互いに異なる物質からなる薬剤がそれぞれ添加された２種類の薬剤添加ゲルが塗布されているが、１つの電極上に塗布される薬剤添加ゲルを構成する物質の数は２種類に限らない。
【００５４】
また、上述した第１及び第３の実施の形態においては、１つの電極上に２つの薬剤保持部が設けられているが、第２の実施の形態に示したように、さらに多くの薬剤保持部を設ける構成とし、その複数の薬剤保持部のうち少なくとも２つにおいて、物質が異なる薬剤を保持する構成としてもよい。例えば、１つの電極上に４つの薬剤保持部を設け、互いに異なる物質からなる薬剤を２つずつの薬剤保持部にて保持する構成であってもよい。
【００５５】
また、複数の薬剤保持部にて保持する薬剤は、その物質が異なるもの以外に、同一の物質であっても、浸透性や濃度が異なるものであってもよく、これら浸透性、濃度及び物質の少なくともいずれか１つが互いに異なるものを、種類が互いに異なると称する。なお、薬剤の人体への浸透性は、その濃度と比例し、濃度が濃くなるに従って高くなるが、一定の濃度に達すると、人体への浸透性は一定となる。このことは、例えば、文献“ドラッグデリバリーシステムの新展開〜究極の薬物治療をめざして〜”永井恒司監修、シーエムシー出版”に記載されている。
【００５６】
また、１つの電極上に塗布される薬剤添加ゲル間に絶縁物質からなる仕切り部材を設けることも考えられる。
【００５７】
さらに、薬剤添加ゲルには、実際に美白効果がある薬剤等の他に、防腐剤や潤湿剤等を含有させることも考えられる。湿潤剤としては、グリセリン、エチレングリコール等のグリコール類、１，３−プロパンジオール、１，４−ブタンジオール等のジオール類、ソルビトール、キシリトール、マンニトール、エリスリトール等の糖アルコール類、尿素が考えられ、防腐剤としては、安息香酸ナトリウム、メチルパラベン等のパラベン類、安息香酸エステル、エチルパラオキシ安息香酸エステル、クロロブタノール、ベンジルアルコール、フェニルエチルアルコール、塩化ベンザルコニウム、クレゾール、デヒドロ酢酸、ソルビン酸等が考えられる。また、抗酸化剤として、亜硫酸塩類、Ｌ−アルコルビン酸類、システイン、チオール誘導体等、電解質として、塩化ナトリウム、塩化カリウム、塩化亜鉛、塩化アルミニウム、塩化アンモニウム、リン酸水素Ｃａ、リン酸リン酸水素Ｋ、リン酸水素Ｎａ、リン酸二水素Ｎａ等のリン酸電解質を含有させてもよい。さらには、界面活性剤や、ｐＨ調整剤として、リン酸、トリエタノールアミン、クエン酸、塩酸、酒石酸、乳酸、コハク酸、フタル酸、ホウ酸、塩化アンモニウム、グリシン、重炭酸ナトリウム、水酸化ナトリウム、塩化ナトリウム、トリスアミノメタン、炭酸ナトリウム、アンモニアを含有させてもよい。
【００５８】
また、１つの電極上に設けられた複数の薬剤保持部に複数種類の薬剤を保持するのではなく、１つの電極上に複数の薬剤保持部を設けながらもそれらに互いに同一の薬剤を保持させ、複数の薬剤保持部の構造を互いに異ならせることにより、複数の薬剤保持部にて保持される薬剤の人体への浸透度を互いに異ならせることも考えられる。例えば、複数の薬剤保持部に互いに同一の薬剤を保持させ、これら複数の薬剤保持部における薬剤添加ゲルの面積を第２の実施の形態に示したもののように互いに異ならせたり、複数の薬剤保持部における薬剤添加ゲルの厚さを第３の実施の形態に示したもののように互いに異ならせたりすることにより、複数の薬剤保持部にて保持される薬剤の人体への浸透度を互いに異ならせることが考えられる。
【符号の説明】
【００５９】
１，１０１，２０１    イオントフィレシスデバイス
２，１０２，２０２    ベース基材
３ａ，３ｂ，１０３ａ，１０３ｂ，２０３ａ，２０３ｂ    電極
４ａ，４ｂ，１０４ａ，１０４ｂ，２０４ａ〜２０４ｄ    薬剤添加ゲル
５ａ，５ｂ，１０５ａ，１０５ｂ，２０５ａ〜２０５ｄ    薬剤保持部
６，２０６    電池
７ａ，７ｂ，１０７ａ，１０７ｂ，２０７ａ，２０７ｂ    配線パターン
８，１０８    ゲル
９，１０９，２０９    人体
１０ａ，１０ｂ，１１０ａ，１１０ｂ，１１０ａ〜１１０ｄ    薬剤
１０６    交流電源
１０６ａ，１０６ｂ    配線
【図１】
2011087856.tif 000003
【図２】
2011087856.tif 000004
【図３】
2011087856.tif 000005
【図４】
2011087856.tif 000006
【図５】
2011087856.tif 000007
【図６】
2011087856.tif 000008